(57)【要約】【課題】  ＩＨ制御部が故障すると、負荷に供給される電力を遮断することができず、過剰な電力が負荷に供給されて消費電力が増大してしまう可能性がある。【解決手段】  電圧Ｖｔが閾値電圧Ｖｔｈ以下である（ヒータの温度が閾値温度以上である）場合は、第２制御部１６５からコイルＬ２に出力される交流電流が遮断されるようにスイッチＳＷが制御される。この結果、アンテナＡＮＴを介した第１制御部１６４への電力の供給が停止され、第１制御部１６４によるトライアック１６７の制御が停止される。即ち、ヒータ１６１への電力供給が停止される。その結果、第１制御部１６４が故障して過剰な電力がヒータ１６１に供給されることに起因して消費電力が増大してしまうことを抑制することができる。【選択図】  図３
2020046579.tif 000002
【特許請求の範囲】
【請求項１】
所定電源と接続される第１回路と、前記第１回路とは絶縁される第２回路と、を有する電源装置において、
前記第１回路に設けられ、前記所定電源から負荷に供給される電力を調整する調整手段と、
前記第１回路に設けられ、前記調整手段を制御する第１制御手段と、
前記第１回路に設けられ、前記負荷に供給される電力に関するパラメータを検出する第１検出手段と、
前記第１回路に設けられ、前記第１検出手段に接続される第１通信部と、
前記第２回路に設けられ、前記第１通信部と絶縁され且つ当該第１通信部と無線通信を行う第２通信部と、
前記第２回路に設けられ且つ前記第２通信部に接続され、前記第２通信部に信号を供給する第２制御手段と、
前記負荷の温度を検出する第２検出手段と、
を有し、
前記第１通信部は、前記第２制御手段が前記第２通信部に供給する信号に起因して前記第１通信部に発生する信号によって電力が供給されることにより動作し、
前記第１通信部は、前記第１検出手段による検出結果に関する情報を前記第２通信部に送信し、
前記第２制御手段は、前記第２通信部に送信された前記情報に基づいて、前記負荷の目標温度と前記第２検出手段によって検出される温度との偏差を小さくするための信号を、前記第１通信部及び第２通信部を介して前記第１制御手段に供給し、
前記第１制御手段は、前記偏差を小さくするための信号に基づいて前記調整手段を制御し、
前記第２検出手段によって検出された温度が所定温度より高い場合は、前記第１制御手段への前記電力の供給が遮断されることを特徴とする電源装置。
【請求項２】
前記電源装置は、
前記第２制御手段から前記第２通信部に前記信号が供給される供給状態と前記第２制御手段から前記第２通信部に前記信号が供給されない遮断状態とを切り替えるスイッチ手段と、
前記第２検出手段によって検出された温度が所定温度より高い場合に、前記スイッチ手段が前記遮断状態になるように前記スイッチ手段を制御する第３制御手段と、
を有することを特徴とする請求項１に記載の電源装置。
【請求項３】
前記第２制御手段は、前記第２検出手段によって検出された温度が前記所定温度より高い場合は、前記第２通信部への信号の供給を停止することを特徴とする請求項１又は２に記載の電源装置。
【請求項４】
前記所定電源は、商用電源であることを特徴とする請求項１乃至３のいずれか一項に記載の電源装置。
【請求項５】
前記電力に関するパラメータは前記負荷に供給される電流であり、
前記第２制御手段は、前記検出手段によって検出された前記電流の実効値が所定値より大きい場合は前記負荷に供給される電力を小さくするための信号を前記第１制御手段に供給することを特徴とする請求項４に記載の電源装置。
【請求項６】
前記第２制御手段は、前記検出手段の検出結果に基づいて決定された電力の実効値が第２所定値より大きい場合は前記負荷に供給される電力を小さくするための信号を前記第１制御手段に供給することを特徴とする請求項４に記載の電源装置。
【請求項７】
前記第１検出手段は、前記所定電源から供給される電圧を検出し、
前記第２制御手段は、前記第１検出手段によって検出された前記電圧の実効値に基づいて前記第１制御手段に信号を供給することを特徴とする請求項１乃至６のいずれか一項に記載の電源装置。
【請求項８】
前記調整手段はトライアック回路であり、
前記第１制御手段は、前記負荷に供給される電力を増大させる場合は前記トライアック回路がＯＮ状態である期間を増大させ、前記負荷に供給される電力を減少させる場合は前記トライアック回路がＯＮ状態である期間を減少させることを特徴とする請求項１乃至７のいずれか一項に記載の電源装置。
【請求項９】
前記第１通信部は、
巻線で構成される第１アンテナと、
前記第１アンテナを構成する巻線のインピーダンスを制御することによって前記情報を送信する送信部と、
を備え、
前記第２通信部は、巻線で構成される第２アンテナを備え、
前記第１通信部と前記第２通信部との無線通信は、前記第１アンテナと前記第２アンテナとによって行われることを特徴とする請求項１乃至８のいずれか一項に記載の電源装置。
【請求項１０】
前記第１アンテナを構成する巻線には可変抵抗が接続されており、
前記第１通信部は、前記可変抵抗の抵抗値を変化させることにより、前記第１アンテナを構成する巻線のインピーダンスを制御することを特徴とする請求項９に記載の電源装置。
【請求項１１】
前記第１通信部と前記第２通信部は、ＮＦＣによる無線通信を行うことを特徴とする請求項１乃至１０のいずれか一項に記載の電源装置。
【請求項１２】
前記第１検出手段は、抵抗器であることを特徴とする請求項１乃至１０のいずれか一項に記載の電源装置。
【請求項１３】
請求項１乃至１２のいずれか一項に記載の電源装置と、
前記負荷としてのヒータと、
シートにトナー像を転写する転写手段と、
前記転写手段によって前記シートに転写された前記トナー像を、前記ヒータによる熱によって前記シートに定着させる定着手段と、
を有することを特徴とする画像形成装置。
【発明の詳細な説明】
【技術分野】
【０００１】
本発明は、負荷に供給される電力を制御する電源装置及び画像形成装置に関する。
【背景技術】
【０００２】
従来、商用電源から供給される電力により動作する電源装置において、商用電源が接続される１次側の回路とは絶縁された２次側の回路で負荷の温度を検出し、検出結果に基づいて１次側の回路を制御することによって負荷に供給される電力を制御する構成が知られている。
【０００３】
例えば、特許文献１には、画像形成装置において、２次側に設けられた本体制御部が１次側に設けられたＩＨ制御部をフォトカプラやトランスなどの絶縁回路部を介して制御することによってヒータに供給される電力を制御する構成が述べられている。
【先行技術文献】
【特許文献】
【０００４】
【特許文献１】特開２０１４−０７４７６６号公報
【発明の概要】
【発明が解決しようとする課題】
【０００５】
前記特許文献１においては、例えば、ＩＨ制御部が故障してしまうと、負荷に供給される電力の制御が適切に行われなくなってしまう。ＩＨ制御部が故障すると、負荷に供給される電力を遮断することができず、過剰な電力が負荷に供給されて消費電力が増大してしまう可能性がある。
【０００６】
上記課題に鑑み、本発明は、第１回路が故障したとしても、消費電力が増大してしまうことを抑制することを目的とする。
【課題を解決するための手段】
【０００７】
上記課題を解決するために、本発明に係る電源装置は、
所定電源と接続される第１回路と、前記第１回路とは絶縁される第２回路と、を有する電源装置において、
前記第１回路に設けられ、前記所定電源から負荷に供給される電力を調整する調整手段と、
前記第１回路に設けられ、前記調整手段を制御する第１制御手段と、
前記第１回路に設けられ、前記負荷に供給される電力に関するパラメータを検出する第１検出手段と、
前記第１回路に設けられ、前記第１検出手段に接続される第１通信部と、
前記第２回路に設けられ、前記第１通信部と絶縁され且つ当該第１通信部と無線通信を行う第２通信部と、
前記第２回路に設けられ且つ前記第２通信部に接続され、前記第２通信部に信号を供給する第２制御手段と、
前記負荷の温度を検出する第２検出手段と、
を有し、
前記第１通信部は、前記第２制御手段が前記第２通信部に供給する信号に起因して前記第１通信部に発生する信号によって電力が供給されることにより動作し、
前記第１通信部は、前記第１検出手段による検出結果に関する情報を前記第２通信部に送信し、
前記第２制御手段は、前記第２通信部に送信された前記情報に基づいて、前記負荷の目標温度と前記第２検出手段によって検出される温度との偏差を小さくするための信号を、前記第１通信部及び第２通信部を介して前記第１制御手段に供給し、
前記第１制御手段は、前記偏差を小さくするための信号に基づいて前記調整手段を制御し、
前記第２検出手段によって検出された温度が所定温度より高い場合は、前記第１制御手段への前記電力の供給が遮断されることを特徴とする。
【発明の効果】
【０００８】
本発明によれば、第１回路が故障したとしても、消費電力が増大してしまうことを抑制することができる。
【図面の簡単な説明】
【０００９】
【図１】第１実施形態に係る画像形成装置を説明する断面図である。
【図２】第１実施形態に係る画像形成装置の制御構成を示すブロック図である。
【図３】第１実施形態に係るＡＣドライバの構成を示す制御ブロック図である。
【図４】交流電源の電圧Ｖ、発熱体に流れる電流Ｉ、制御部から出力されるＨ−ＯＮ信号及びゼロクロスタイミングを示すタイムチャートである。
【図５】第１実施形態に係る定着ヒータの温度を制御する方法を示すフローチャートである。
【図６】振幅変調された変調波を示す図である。
【発明を実施するための形態】
【００１０】
以下に図面を参照して、本発明の好適な実施の形態を説明する。ただし、この実施の形態に記載されている構成部品の形状及びそれらの相対配置などは、この発明が適用される装置の構成や各種条件により適宜変更されるべきものであり、この発明の範囲が以下の実施の形態に限定される趣旨のものではない。
【００１１】
〔第１実施形態〕
［画像形成装置］
図１は、本実施形態で用いられるシート搬送装置を有するモノクロの電子写真方式の複写機（以下、画像形成装置と称する）１００の構成を示す断面図である。なお、画像形成装置は複写機に限定されず、例えば、ファクシミリ装置、印刷機、プリンタ等であっても良い。また、記録方式は、電子写真方式に限らず、例えば、インクジェット等であっても良い。更に、画像形成装置の形式はモノクロ及びカラーのいずれの形式であっても良い。
【００１２】
以下に、図１を用いて、画像形成装置１００の構成および機能について説明する。図１に示すように、画像形成装置１００は、原稿給送装置２０１、読取装置２０２及び画像印刷装置３０１を有する。
【００１３】
原稿給送装置２０１の原稿積載部２０３に積載された原稿は、給紙ローラ２０４によって１枚ずつ給紙され、搬送ガイド２０６に沿って読取装置２０２の原稿ガラス台２１４上に搬送される。更に、原稿は、搬送ベルト２０８によって一定速度で搬送されて、排紙ローラ２０５によって不図示の排紙トレイへ排紙される。読取装置２０２の読取位置において照明２０９によって照明された原稿画像からの反射光は、反射ミラー２１０、２１１、２１２からなる光学系によって画像読取部１１１に導かれ、画像読取部１１１によって画像信号に変換される。画像読取部１１１は、レンズ、光電変換素子であるＣＣＤ、ＣＣＤの駆動回路等で構成される。画像読取部１１１から出力された画像信号は、ＡＳＩＣ等のハードウェアデバイスで構成される画像処理部１１２によって各種補正処理が行われた後、画像印刷装置３０１へ出力される。前述の如くして、原稿の読取が行われる。即ち、原稿給送装置２０１及び読取装置２０２は、原稿読取装置として機能する。
【００１４】
また、原稿の読取モードとして、第１読取モードと第２読取モードがある。第１読取モードは、一定速度で搬送される原稿の画像を、所定の位置に固定された照明系２０９及び光学系によって読み取るモードである。第２読取モードは、読取装置２０２の原稿ガラス２１４上に載置された原稿の画像を、一定速度で移動する照明系２０９及び光学系によって読み取るモードである。通常、シート状の原稿の画像は第１読取モードで読み取られ、本や冊子等の綴じられた原稿の画像は第２読取モードで読み取られる。
【００１５】
画像印刷装置３０１の内部には、シート収納トレイ３０２、３０４が設けられている。シート収納トレイ３０２、３０４には、それぞれ異なる種類の記録媒体を収納することができる。例えば、シート収納トレイ３０２にはＡ４サイズの普通紙が収納され、シート収納トレイ３０４にはＡ４サイズの厚紙が収納される。なお、記録媒体とは、画像形成装置によって画像が形成されるものであって、例えば、用紙、樹脂シート、布、ＯＨＰシート、ラベル等は記録媒体に含まれる。
【００１６】
シート収納トレイ３０２に収納された記録媒体は、給紙ローラ３０３によって給送されて、搬送ローラ３０６によってレジストレーションローラ３０８へ送り出される。また、シート収納トレイ３０４に収納された記録媒体は、給紙ローラ３０５によって給送されて、搬送ローラ３０７及び３０６によってレジストレーションローラ３０８へ送り出される。
【００１７】
読取装置２０２から出力された画像信号は、半導体レーザ及びポリゴンミラーを含む光走査装置３１１に入力される。
【００１８】
また、感光ドラム３０９は、帯電器３１０によって外周面が帯電される。感光ドラム３０９の外周面が帯電された後、読取装置２０２から光走査装置３１１に入力された画像信号に応じたレーザ光が、光走査装置３１１からポリゴンミラー及びミラー３１２、３１３を経由し、感光ドラム３０９の外周面に照射される。この結果、感光ドラム３０９の外周面に静電潜像が形成される。なお、感光ドラムの帯電には、例えば、コロナ帯電器や帯電ローラを用いた帯電方法が用いられる。
【００１９】
続いて、静電潜像が現像器３１４内のトナーによって現像され、感光ドラム３０９の外周面にトナー像が形成される。感光ドラム３０９に形成されたトナー像は、感光ドラム３０９と対向する位置（転写位置）に設けられた転写帯電器３１５によって記録媒体に転写される。この転写タイミングに合わせて、レジストレーションローラ３０８は記録媒体を転写位置へ送り込む。
【００２０】
前述の如くして、トナー像が転写された記録媒体は、搬送ベルト３１７によって定着器３１８へ送り込まれ、定着器３１８によって加熱加圧されて、トナー像が記録媒体に定着される。このようにして、画像形成装置１００によって記録媒体に画像が形成される。
【００２１】
片面印刷モードで画像形成が行われる場合は、定着器３１８を通過した記録媒体は、排紙ローラ３１９、３２４によって、不図示の排紙トレイへ排紙される。また、両面印刷モードで画像形成が行われる場合は、定着器３１８によって記録媒体の第１面に定着処理が行われた後に、記録媒体は、排紙ローラ３１９、搬送ローラ３２０、及び反転ローラ３２１によって、反転パス３２５へと搬送される。その後、記録媒体は、搬送ローラ３２２、３２３によって再度レジストレーションローラ３０８へと搬送され、前述した方法で記録媒体の第２面に画像が形成される。その後、記録媒体は、排紙ローラ３１９、３２４によって不図示の排紙トレイへ排紙される。
【００２２】
また、第１面に画像形成された記録媒体がフェースダウンで画像形成装置１００の外部へ排紙される場合は、定着器３１８を通過した記録媒体は、排紙ローラ３１９を通って搬送ローラ３２０へ向かう方向へ搬送される。その後、記録媒体の後端が搬送ローラ３２０のニップ部を通過する直前に搬送ローラ３２０の回転が反転することによって、記録媒体の第１面が下向きになった状態で、記録媒体が排紙ローラ３２４を経由して、画像形成装置１００の外部へ排出される。
【００２３】
以上が画像形成装置１００の構成および機能についての説明である。
【００２４】
図２は、画像形成装置１００の制御構成の例を示すブロック図である。図２に示すように、画像形成装置１００は商用電源としての交流電源１（ＡＣ）に接続されており、画像形成装置１００の内部の各種装置は交流電源１から供給される電力によって稼働する。システムコントローラ１５１は、図２に示すように、ＣＰＵ１５１ａ、ＲＯＭ１５１ｂ、ＲＡＭ１５１ｃを備えている。また、システムコントローラ１５１は、画像処理部１１２、操作部１５２、アナログ・デジタル（Ａ／Ｄ）変換器１５３、高圧制御部１５５、モータ制御装置１５７、センサ類１５９、ＡＣドライバ１６０と接続されている。システムコントローラ１５１は、接続された各ユニットとの間でデータやコマンドの送受信をすることが可能である。
【００２５】
ＣＰＵ１５１ａは、ＲＯＭ１５１ｂに格納された各種プログラムを読み出して実行することによって、予め定められた画像形成シーケンスに関連する各種シーケンスを実行する。
【００２６】
ＲＡＭ１５１ｃは記憶デバイスである。ＲＡＭ１５１ｃには、例えば、高圧制御部１５５に対する設定値、モータ制御装置１５７に対する指令値及び操作部１５２から受信される情報等の各種データが記憶される。
【００２７】
システムコントローラ１５１は、画像処理部１１２における画像処理に必要となる、画像形成装置１００の内部に設けられた各種装置の設定値データを画像処理部１１２に送信する。更に、システムコントローラ１５１は、センサ類１５９からの信号を受信して、受信した信号に基づいて高圧制御部１５５の設定値を設定する。
【００２８】
高圧制御部１５５は、システムコントローラ１５１によって設定された設定値に応じて、高圧ユニット１５６（帯電器３１０、現像器３１４、転写帯電器３１５等）に必要な電圧を供給する。
【００２９】
モータ制御装置１５７は、ＣＰＵ１５１ａから出力された指令に応じて、画像形成装置１００の内部に設けられた負荷を駆動するモータを制御する。なお、図２においては、画像形成装置のモータとしてモータ５０９のみが記載されているが、実際には、画像形成装置には複数個のモータが設けられている。また、１個のモータ制御装置が複数個のモータを制御する構成であっても良い。更に、図２においては、モータ制御装置が１個しか設けられていないが、２個以上のモータ制御装置が画像形成装置に設けられていてもよい。
【００３０】
Ａ／Ｄ変換器１５３は、定着ヒータ１６１の温度を検出するためのサーミスタ１５４が検出した検出信号を受信し、検出信号をアナログ信号からデジタル信号に変換してシステムコントローラ１５１に送信する。システムコントローラ１５１は、Ａ／Ｄ変換器１５３から受信したデジタル信号に基づいてＡＣドライバ１６０の制御を行う。ＡＣドライバ１６０は、定着ヒータ１６１の温度が定着処理を行うために必要な温度となるように定着ヒータ１６１を制御する。なお、定着ヒータ１６１は、定着処理に用いられるヒータであり、定着器３１８に含まれる。
【００３１】
システムコントローラ１５１は、使用する記録媒体の種類（以下、紙種と称する）等の設定をユーザが行うための操作画面を、操作部１５２に設けられた表示部に表示するように、操作部１５２を制御する。システムコントローラ１５１は、ユーザが設定した情報を操作部１５２から受信し、ユーザが設定した情報に基づいて画像形成装置１００の動作シーケンスを制御する。また、システムコントローラ１５１は、画像形成装置の状態を示す情報を操作部１５２に送信する。なお、画像形成装置の状態を示す情報とは、例えば、画像形成枚数、画像形成動作の進行状況、原稿読取装置２０１及び画像印刷装置３０１におけるシート材のジャムや重送等に関する情報である。操作部１５２は、システムコントローラ１５１から受信した情報を表示部に表示する。
【００３２】
前述の如くして、システムコントローラ１５１は画像形成装置１００の動作シーケンスを制御する。
【００３３】
［ＡＣドライバ］
図３は、ＡＣドライバの構成を示す制御ブロック図である。ＡＣドライバ１６０は、交流電源１に接続される第１回路１６０ａと当該第１回路１６０ａとは絶縁される第２回路１６０ｂとによって構成される。なお、図３に示すように、第１回路１６０ａはＡＣドライバ１６０における１次側に含まれ、第２回路１６０ｂはＡＣドライバ１６０における２次側に含まれる。
【００３４】
ＡＣドライバ１６０は、交流電源１から定着器３１８への電力供給を制御するトライアック１６７、交流電源１から供給される電圧Ｖ及び定着ヒータ１６１に流れる電流Ｉを検出し、検出結果に基づいてトライアック１６７を制御する第１制御部１６４を有する。
【００３５】
図３に示すように、第１制御部１６４は第２制御部１６５とは絶縁されており、第１制御部１６４は第１回路１６０ａに設けられ、第２制御部１６５は第２回路１６０ｂに設けられる。第１制御部１６４は第２制御部１６５とアンテナＡＮＴによって電磁気的に結合されている。また、第２制御部１６５は、ＣＰＵ１５１ａと接続されており、ＣＰＵ１５１ａによって制御される。なお、アンテナＡＮＴについては後に説明する。
【００３６】
図３に示すように、交流電源１から出力される電圧はＡＣ／ＤＣ電源１６３にも入力される。ＡＣ／ＤＣ電源１６３は、交流電源１から出力される交流電圧を、例えば、５Ｖ及び２４Ｖの直流電圧に変換して出力する。５Ｖの直流電圧は、ＣＰＵ１５１ａ及び制御部１６５に供給される。また、２４Ｖの直流電圧はトライアック駆動回路１６７ａに供給される。直流電圧５Ｖ及び２４Ｖは、画像形成装置１００の内部の各種装置にも供給される。なお、ＡＣ／ＤＣ電源１６３から出力される電圧は第１制御部１６４には供給されない。第１制御部１６４には、アンテナＡＮＴを介して第２制御部１６５から絶縁状態のまま電力が供給される。具体的な構成については後述する。
【００３７】
トライアック１６７は第１制御部１６４からＨ−ＯＮ信号＝‘Ｈ’が出力されるとＯＮ状態になる。また、トライアック１６７は第１制御部１６４からＨ−ＯＮ信号＝‘Ｌ’が出力されるとＯＦＦ状態になる。トライアック１６７が制御されることによって、定着ヒータ１６１への電力の供給が行われる。定着ヒータ１６１に供給される電力の量は、トライアック１６７がＯＮ状態になるタイミングが制御されることによって調整される。
【００３８】
＜定着ヒータの温度制御＞
以下に、定着ヒータ１６１の温度を制御する方法を説明する。交流電源１から出力される電力はＡＣドライバ１６０を介して定着器３１８に設けられた定着ヒータ１６１内部の発熱体１６１ａに供給される。
【００３９】
第１制御部１６４は、交流電源１から供給される電圧Ｖ（抵抗器Ｒ２の両端電圧Ｖ）を検出する。また、第１制御部１６４は、抵抗器Ｒ２の両端電圧に基づいて、発熱体１６１ａに流れる電流Ｉを検出する。
【００４０】
第１制御部１６４は、入力される電圧Ｖ及び電流Ｉをアナログ値からデジタル値に変換するＡ／Ｄ変換器１６４ａを有する。第１制御部１６４は、Ａ／Ｄ変換器１６４ａによって変換された電圧Ｖ及び電流Ｉを所定の周期Ｔ（例えば、５０μｓ）でサンプリングする。第１制御部１６４は、電圧Ｖ及び電流Ｉのサンプリングを行う毎に、以下の式（１）乃至（３）のように、Ｖ＾２、Ｉ＾２、Ｖ＊Ｉの積算を行う。
【００４１】
【数１】
2020046579.tif 000003
【００４２】
第１制御部１６４は、積算した値をメモリ１６４ｂに記憶する。
【００４３】
また、第１制御部１６４は、電圧Ｖが負の値から正の値に変化するタイミング（以下、ゼロクロスタイミングと称する）を検出する。
【００４４】
第１制御部１６４は、ゼロクロスタイミングになると、電圧Ｖの実効値Ｖｒｍｓ、Ｉの実効値Ｉｒｍｓ、Ｖ＊Ｉ（＝Ｐ）の実効値Ｐｒｍｓを以下の式（４）乃至（６）を用いて演算する。
【００４５】
【数２】
2020046579.tif 000004
【００４６】
第１制御部１６４は、演算した実効値Ｖｒｍｓ、Ｉｒｍｓ、Ｐｒｍｓをメモリ１６４ｂに記憶する。なお、第１制御部１６４は、実効値Ｖｒｍｓ、Ｉｒｍｓ、Ｐｒｍｓを演算する毎に、メモリ１６４ｂに記憶されているＶ＾２、Ｉ＾２、Ｖ＊Ｉの積算値をリセットする。
【００４７】
また、第１制御部１６４は、ゼロクロスタイミングになると、メモリ１６４ｂに記憶されている実効値Ｖｒｍｓ、Ｉｒｍｓ、Ｐｒｍｓ及びゼロクロスタイミングになったことを、後述する方法によりアンテナＡＮＴを介して第２制御部１６５に通知する。
【００４８】
第２制御部１６５は、第１制御部１６４から取得した実効値Ｖｒｍｓ、Ｉｒｍｓ、Ｐｒｍｓをメモリ１６５ａに記憶する。また、第２制御部１６５は、ゼロクロスタイミングであることをＣＰＵ１５１ａに通知する（信号ＺＸ）。
【００４９】
ＣＰＵ１５１ａは、第２制御部１６５からゼロクロスタイミングであることが通知されると、第２制御部１６５のメモリ１６５ａに記憶されている実効値Ｖｒｍｓ、Ｉｒｍｓ、Ｐｒｍｓを取得する。このように、ＣＰＵ１５１ａは、ゼロクロスタイミング毎に実効値Ｖｒｍｓ、Ｉｒｍｓ、Ｐｒｍｓを取得する。即ち、本実施形態においては、信号ＺＸは、ＣＰＵ１５１ａが実効値Ｖｒｍｓ、Ｉｒｍｓ、Ｐｒｍｓを取得するためのトリガーとなる信号である。
【００５０】
定着ヒータ１６１の付近には、定着ヒータ１６１の温度を検出するサーミスタ１５４が設けられている。図３に示すように、サーミスタ１５４はグラウンド（ＧＮＤ）に接続されている。サーミスタ１５４は、例えば、温度が高くなるほど抵抗値が低下する特性を有する。サーミスタ１５４の温度が変化するとサーミスタ１５４の両端の電圧Ｖｔも変化する。この電圧Ｖｔを検出することによって定着ヒータ１６１の温度が検出される。
【００５１】
サーミスタ１５４から出力されるアナログ信号としての電圧ＶｔはＡ／Ｄ変換器１５３に入力される。Ａ／Ｄ変換器１５３は、電圧Ｖｔをアナログ信号からデジタル信号に変換してＣＰＵ１５１ａ及び異常判定部１６６に出力する。
【００５２】
ＣＰＵ１５１ａは、制御部１６５から取得した実効値Ｖｒｍｓ、Ｉｒｍｓ、Ｐｒｍｓ及びＡ／Ｄ変換器１５３から出力される電圧Ｖｔに基づいて第２制御部１６５を介してトライアックを制御することによって、定着ヒータ１６１の温度を制御する。以下に、定着ヒータ１６１の温度が制御される具体的な方法を説明する。
【００５３】
図４は、交流電源１の電圧Ｖ、発熱体１６１ａに流れる電流Ｉ、第１制御部１６４から出力されるＨ−ＯＮ信号及びゼロクロスタイミングを示すタイムチャートである。図４に示すように、ゼロクロスタイミングの周期Ｔｚｘは、交流電源１の電圧の周期に対応する。
【００５４】
図４に示すように、ゼロクロスタイミングからＨ−ＯＮ信号＝‘Ｈ’が出力されるタイミングｔ＿ｏｎ１までの時間Ｔｈが制御されることによって、発熱体１６１ａに流れる電流量（供給される電力量）が制御される。具体的には、例えば、時間Ｔｈが短いほど、発熱体１６１ａに流れる電流量は多くなる。即ち、時間Ｔｈが短くなるように制御されると、定着ヒータ１６１の温度は増大する。
【００５５】
本実施形態では、ＣＰＵ１５１ａは、ゼロクロスタイミングからタイミングｔ＿ｏｎ１までの時間を制御することによって発熱体１６１ａに流れる電流量を制御する。この結果、ＣＰＵ１５１ａは定着ヒータ１６１の温度を制御することができる。なお、本実施形態では、タイミングｔ＿ｏｎ１においてＨ−ＯＮ信号＝‘Ｈ’が出力されることに起因して流れる電流と同じ量且つ逆極性である電流が発熱体１６１ａに流れるように、トライアック１６７が制御される。具体的には、図４に示すように、タイミングｔ＿ｏｎ１から時間Ｔｚｘ／２が経過したタイミング（即ち、交流電源１の電圧の半周期後のタイミング）ｔ＿ｏｎ２においてもＨ−ＯＮ信号＝‘Ｈ’が出力される。
【００５６】
図５は、定着ヒータ１６１の温度を制御する方法を示すフローチャートである。以下に、図５を用いて、本実施形態における定着ヒータ１６１の温度制御について説明する。このフローチャートの処理は、ＣＰＵ１５１ａによって実行される。なお、このフローチャートの処理は、例えば、画像形成装置１００が起動されると実行される。
【００５７】
Ｓ１０１において、ＣＰＵ１５１ａは、例えば、Ａ／Ｄ変換器１５３から取得した電圧Ｖｔと定着ヒータ１６１の目標温度に対応する電圧Ｖ０との差分値に基づいて、時間Ｔｈを設定し、第２制御部１６５及びアンテナＡＮＴを介して第１制御部１６４に時間Ｔｈを通知する。この結果、第１制御部１６４は、設定された時間Ｔｈに基づいてＨ−ＯＮ信号をトライアック１６７に出力する。
【００５８】
その後、Ｓ１０２において、第２制御部１６５からＣＰＵ１５１ａに信号ＺＸが入力されると、Ｓ１０３において、ＣＰＵ１５１ａは、Ａ／Ｄ変換器１５３から出力される電圧Ｖｔ及び制御部１６５のメモリ１６５ａに記憶されている実効値Ｖｒｍｓ、Ｉｒｍｓ、Ｐｒｍｓを取得する。
【００５９】
その後、Ｓ１０４において、電力の実効値Ｐｒｍｓが閾値Ｐｔｈ以上である（Ｐｒｍｓ≧Ｐｔｈ）場合は、Ｓ１０９において、ＣＰＵ１５１ａは、現在設定されている時間Ｔｈを増大させる指示を、第２制御部１６５及びアンテナＡＮＴを介して第１制御部１６４に出力する。なお、時間Ｔｈを増大させる量は、予め決められた量であっても良いし、実効値Ｐｒｍｓと閾値Ｐｔｈとの差分値に基づいて決定されてもよい。
【００６０】
このように、電力の実効値Ｐｒｍｓが閾値Ｐｔｈ以上である場合に実効値Ｐｒｍｓが閾値Ｐｔｈより小さくなるように時間Ｔｈが設定されることによって、定着ヒータ１６１に過剰な電力が供給されてしまうことを抑制することができる。この結果、消費電力が増大することを抑制することができる。なお、閾値Ｐｔｈは、定着ヒータ１６１の温度を目標温度まで上昇させることができるような電力よりも大きい値に設定される。
【００６１】
その後、処理はＳ１１０に進む。
【００６２】
また、Ｓ１０４において、電力の実効値Ｐｒｍｓが閾値Ｐｔｈより小さい（Ｐｒｍｓ＜Ｐｔｈ）である場合は、処理はＳ１０５に進む。
【００６３】
Ｓ１０５において、電流の実効値Ｉｒｍｓが閾値Ｉｔｈ以上である（Ｉｒｍｓ≧Ｉｔｈ）場合は、Ｓ１０９において、ＣＰＵ１５１ａは、現在設定されている時間Ｔｈを増大させる指示を、第２制御部１６５及びアンテナＡＮＴを介して第１制御部１６４に出力する。なお、時間Ｔｈを増大させる量は、予め決められた量であっても良いし、実効値Ｉｒｍｓと閾値Ｉｔｈとの差分値に基づいて決定されてもよい。
【００６４】
このように、実効値Ｉｒｍｓが閾値Ｉｔｈ以上である場合に実効値Ｉｒｍｓが閾値Ｉｔｈより小さくなるように時間Ｔｈが制御されることによって、発熱体１６１ａに過剰な電流が供給されてしまうことを抑制することができる。この結果、定着ヒータ１６１の温度が過剰に上昇してしまうことを抑制することができる。なお、閾値Ｉｔｈは、定着ヒータ１６１の温度を目標温度まで上昇させることができるような電流よりも大きい値に設定される。
【００６５】
その後、処理はＳ１１０に進む。
【００６６】
また、Ｓ１０５において、実効値Ｉｒｍｓが閾値Ｉｔｈより小さい（Ｉｒｍｓ＜Ｉｔｈ）である場合は、処理はＳ１０６に進む。
【００６７】
Ｓ１０６において、Ａ／Ｄ変換器１５３から取得した電圧Ｖｔが、定着ヒータ１６１の目標温度に対応する電圧Ｖ０である場合は、処理はＳ１１０に進む。
【００６８】
また、Ｓ１０６において、Ａ／Ｄ変換器１５３から取得した電圧Ｖｔが、定着ヒータ１６１の目標温度に対応する電圧Ｖ０でない場合は、処理はＳ１０７に進む。
【００６９】
Ｓ１０７において、電圧Ｖｔが電圧Ｖ０より大きい場合は、Ｓ１０９において、ＣＰＵ１５１ａは、電圧Ｖｔと電圧Ｖ０との偏差が小さくなるように、現在設定されている時間Ｔｈを増大させる指示を、第２制御部１６５及びアンテナＡＮＴを介して第１制御部１６４に出力する。なお、時間Ｔｈを増大させる量は、予め決められた量であっても良いし、電圧Ｖ０と電圧Ｖｔとの差分値に基づいて決定されてもよい。
【００７０】
また、Ｓ１０７において、電圧Ｖｔが電圧Ｖ０より小さい場合は、Ｓ１０８において、ＣＰＵ１５１ａは、電圧Ｖｔと電圧Ｖ０との偏差が小さくなるように、現在設定されている時間Ｔｈを減少させる指示を、第２制御部１６５及びアンテナＡＮＴを介して第１制御部１６４に出力する。なお、時間Ｔｈを減少させる量は、予め決められた量であっても良いし、電圧Ｖ０と電圧Ｖｔとの差分値に基づいて決定されてもよい。
【００７１】
Ｓ１１０において、温度制御が継続される（即ち、印刷ジョブが継続される）場合は、処理はＳ１０２に戻る。
【００７２】
また、Ｓ１１０において、温度制御が終了する（即ち、印刷ジョブが終了する）場合は、Ｓ１１１において、ＣＰＵ１５１ａは、トライアック１６７の駆動を停止するように制御部１６５を制御する。
【００７３】
なお、例えば、時間Ｔｈを増大させることに起因して変化する電力の変化量は、電圧の実効値が例えば１００Ｖである場合と８０Ｖである場合とで異なる。具体的には、電圧の実効値が１００Ｖである場合に時間Ｔｈを増大させることに起因して変化する電力の変化量は、電圧の実効値が８０Ｖである場合に時間Ｔｈを増大させることに起因して変化する電力の変化量よりも大きい。ＣＰＵ１５１ａは、電圧の実効値Ｖｒｍｓに基づいて時間Ｔｈを制御する。
【００７４】
以上が、定着ヒータ１６１の温度を制御する方法である。
【００７５】
＜アンテナＡＮＴ＞
｛第２制御部から第１検出部への電力供給｝
第１回路１６０ａに設けられた第１制御部１６４は、第２回路１６０ｂに設けられた第２制御部１６５と絶縁され、第１通信部としてのコイル（巻線）Ｌ１及び第２通信部としてのコイル（巻線）Ｌ２で構成されるアンテナＡＮＴにより第２制御部１６５と電磁気的に結合される。コイルＬ２には、振幅変調された高周波（例えば１３．５６ＭＨｚ）の信号が出力される。コイルＬ２には当該信号に応じた交流電流が流れ、当該交流電流が流れることに起因してコイルＬ２に発生する交流磁界によって、コイルＬ１に交流電圧が発生する。第１制御部１６４はコイルＬ１に発生する交流電圧によって動作する。このように、本実施形態では、第２制御部１６５からアンテナＡＮＴを介して第１制御部１６４に電力が供給される。この結果、第１回路１６０ａに第１制御部１６４を動作させるための電源を設ける必要がないため、装置の大型化及びコストの増大を抑制することができる。なお、第２制御部１６５は、例えば、第１制御部１６４が電圧Ｖ及び電流Ｉを検出する周期よりも短い周期で第１制御部１６４に電力を供給する。また、第２制御部１６５は、画像形成装置１００がスリープ中である期間は、第１制御部１６４に電力を供給しなくてもよい。
【００７６】
｛第１制御部と第２制御部とのデータ通信｝
図６は、振幅変調された信号を示す図である。図６に示すように、‘０’及び‘１’を表す信号は、第１の振幅を有する信号と第１の振幅よりも小さい第２の振幅を有する信号との組み合わせで表される。例えば、‘１’を表す信号は、１ビットの前半が第１の振幅を有する信号で表され、１ビットの後半が第２の振幅を有する信号で表される。また、‘０’を表す信号は、１ビットの前半が第２の振幅を有する信号で表され、１ビットの後半が第１の振幅を有する信号で表される。
【００７７】
コイルＬ２には、図６に示すような、振幅が変調された信号が出力される。この結果、コイルＬ１には、コイルＬ２に出力された信号に対応する信号が発生する。
【００７８】
第１制御部１６４は、例えば、第１制御部１６４に設けられた可変抵抗の抵抗値を第２制御部１６５に送信するデータに応じて変化させる。この結果、コイルＬ１のインピーダンスが変化することに起因してコイルＬ１に発生する信号が変化し、第２制御部１６５にデータが送信される。第１制御部１６４は、このようにしてコイルＬ１に発生する信号にデータを重畳することによって第２制御部１６５にデータを送信する。なお、データとは、実効値Ｖｒｍｓ、Ｉｒｍｓ、Ｐｒｍｓ及びゼロクロスタイミングを示す信号ＺＸ等に対応する。
【００７９】
第２制御部１６５は、第１制御部１６４がコイルＬ１に発生する信号にデータを重畳することに起因してコイルＬ２に発生する信号から当該データを抽出する。具体的には、第２制御部１６５は、第１制御部１６４がコイルＬ１に発生する信号にデータを重畳する際にコイルＬ１のインピーダンスを変化させることに起因してコイルＬ２に発生する信号の変化を検知することによって、第１制御部１６４からのデータを読み取る。
【００８０】
このようにして、第１制御部１６４はアンテナＡＮＴによって電磁気的に結合された第２制御部１６５にデータを送信する。即ち、第１制御部１６４は、コイルＬ１とコイルＬ２との無線通信によって第２制御部１６５にデータを送信する。
【００８１】
なお、第２制御部１６５は、コイルＬ２に出力する信号の振幅を変調することによって、第１制御部１６４に時間Ｔｈなどのデータを送信する。
【００８２】
以上のように、本実施形態では、第１回路１６０ａに設けられた第１制御部１６４は、第２回路１６０ｂに設けられた第２制御部１６５と絶縁され、コイルＬ１及びコイルＬ２で構成されるアンテナＡＮＴによって第２制御部１６５と電磁気的に結合される。具体的には、第２制御部１６５が出力した信号に応じてコイルＬ２に流れる交流電流に起因してコイルＬ２に発生する交流磁界によって、コイルＬ１に交流電圧が発生する。第１制御部１６４はコイルＬ１に発生する交流電圧によって動作する。このように、本実施形態では、第２制御部１６５からアンテナＡＮＴを介して第１制御部１６４に電力が供給される。この結果、第１回路１６０ａに第１制御部１６４を動作させるための電源を設ける必要がないため、第１回路１６０ａと第２回路１６０ｂとの絶縁状態を保ちつつ、装置の大型化及びコストの増大を抑制することができる。
【００８３】
また、本実施形態では、第１制御部１６４は、例えば、コイルＬ１のインピーダンスを変化させてコイルＬ１に発生する信号を変化させることによって、第２制御部１６５にデータを送信する。そして、第２制御部１６５は、当該変化を検知することによって、第１制御部１６４からのデータを読み取る。このようにして、第１制御部１６４はアンテナＡＮＴによって電磁気的に結合された第２制御部１６５にデータを送信する。また、第２制御部１６５は、コイルＬ２に出力する信号の振幅を変調することによって、第１制御部１６４に時間Ｔｈなどのデータを送信する。
【００８４】
＜第１制御部への電力供給の制御＞
第２制御部１６５には、Ａ／Ｄ変換器１５３から出力される電圧Ｖｔが入力される。第２制御部１６５は、電圧Ｖｔが閾値電圧Ｖｔｈ以下である（ヒータの温度が閾値温度以上である）場合は、交流電流をコイルＬ２に出力しないようにする。この結果、アンテナＡＮＴを介した第１制御部１６４への電力の供給が停止され、第１制御部１６４によるトライアック１６７の制御が停止される。即ち、ヒータ１６１への電力供給が停止される。その結果、第１制御部１６４が故障して過剰な電力がヒータ１６１に供給されることに起因して消費電力が増大してしまうことを抑制することができる。即ち、第１回路が故障したとしても、消費電力が増大してしまうことを抑制することができる。
【００８５】
また、異常判定部１６６にも、Ａ／Ｄ変換器１５３から出力される電圧Ｖｔが入力される。異常判定部１６６は、電圧Ｖｔが閾値電圧Ｖｔｈ以下である（ヒータの温度が閾値温度以上である）場合は、第２制御部１６５からコイルＬ２に出力される交流電流が遮断されるようにスイッチＳＷを制御する（遮断状態）。具体的には、例えば、異常判定部１６６は、電圧Ｖｔが閾値電圧Ｖｔｈ以下である場合は、スイッチＳＷの状態を変化させるためのコイル（不図示）への電流の供給を停止する。コイルへの電流の供給が停止されると、スイッチＳＷは遮断状態になる。この結果、アンテナＡＮＴを介した第１制御部１６４への電力の供給が停止され、第１制御部１６４によるトライアック１６７の制御が停止される。即ち、ヒータ１６１への電力供給が停止される。その結果、第１制御部１６４が故障して過剰な電力がヒータ１６１に供給されることに起因して消費電力が増大してしまうことを抑制することができる。即ち、第１回路が故障したとしても、消費電力が増大してしまうことを抑制することができる。なお、電圧Ｖｔが閾値電圧Ｖｔｈより大きい場合は、第２制御部１６５から出力される交流電流がコイルＬ２に供給されるようにスイッチＳＷが制御される（供給状態）。コイルへの電流の供給が行われている期間は、スイッチＳＷは供給状態である。
【００８６】
このように、本実施形態では、アンテナＡＮＴを介した第１制御部１６４への電力の供給を停止する構成を、第２制御部１６５と異常判定部１６６との両方が有する。この結果、第１回路が故障した場合に第２制御部１６５と異常判定部１６６とのいずれか一方が故障したとしても、アンテナＡＮＴを介した第１制御部１６４への電力の供給が停止される。この結果、第１制御部１６４によるトライアック１６７の制御が停止され、ヒータ１６１への電力供給が停止される。その結果、第１制御部１６４が故障して過剰な電力がヒータ１６１に供給されることに起因して消費電力が増大してしまうことを抑制することができる。即ち、第１回路が故障したとしても、消費電力が増大してしまうことを抑制することができる。
【００８７】
なお、本実施形態では、電圧Ｖｔが閾値電圧Ｖｔｈ以下である場合は、第２制御部１６５から第１制御部１６４に電力が供給されないように、コイルＬ２への信号の出力が停止されたが、この限りではない。例えば、電圧Ｖｔが閾値電圧Ｖｔｈ以下である場合は、第２制御部１６５がコイルＬ２に出力する交流電流が遮断されるようにスイッチＳＷが制御されてもよい。即ち、電圧Ｖｔが閾値電圧Ｖｔｈ以下である場合は、第２制御部１６５から第１制御部１６４に電力が供給されないように、コイルＬ２への信号の出力が制御される構成であればよい。
【００８８】
また、本実施形態では、異常判定部１６６がスイッチＳＷを制御したが、この限りではない。例えば、ＣＰＵ１５１ａが電圧Ｖｔに基づいてスイッチＳＷを制御する構成であってもよい。
【００８９】
なお、本実施形態におけるＣＰＵ１５１ａの機能を第２制御部１６５が有する構成であってもよいし、第２制御部１６５の機能をＣＰＵ１５１ａが有する構成であってもよい。
【００９０】
本実施形態における電圧Ｖ、電流Ｉ、電流Ｉ２等は、負荷に供給される電力に関するパラメータに対応する。
【００９１】
また、本実施形態におけるトライアック１６７はトライアック回路に含まれる。
【００９２】
また、本実施形態では、ＣＰＵ１５１ａは、信号ＺＸが入力されることに応じて実効値を取得したが、この限りではない。例えば、ＣＰＵ１５１ａは、ＣＰＵ１５１ａの内部に設けられたタイマによる計測時間が電圧Ｖの１周期に対応する時間になったら実効値を取得する構成でもよい。即ち、信号ＺＸが第２制御部１６５からＣＰＵ１５１ａに入力される構成でなくてもよい。
【００９３】
また、本実施形態では、発熱体１６１ａに供給される電力を調整する構成として、トライアック１６７が用いられたが、この限りではない。例えば、第１回路１６０ａにおける回路の抵抗を変化させて発熱体１６１ａに供給される電圧及び電流の振幅を変調することによって発熱体１６１ａに供給される電力を調整する構成が用いられてもよい。
【００９４】
また、本実施形態においては、第１制御部１６４は、コイルＬ１のインピーダンスを変化させてコイルＬ１に発生する信号の振幅を変調することによってデータを第２制御部１６５に送信したが、この限りではない。例えば、第１制御部１６４は、コイルＬ１に発生する信号の周波数を変調することによってデータを第２制御部１６５に送信する構成であってもよい。
【００９５】
また、本実施形態においては、第１制御部１６４と第２制御部１６５との間の無線通信を行う方法としてＮＦＣ（Ｎｅａｒ  Ｆｉｅｌｄ  Ｃｏｍｍｕｎｉｃａｔｉｏｎ）が用いられるが、第１制御部１６４と第２制御部１６５との間の無線通信を行う方法は、これに限定されるわけではない。例えば、第１制御部１６４と第２制御部１６５との間の無線通信を行う方法として赤外線通信などの方法が用いられてもよい。
【００９６】
また、本実施形態においては、第１回路１６０ａは商用電源に接続されているが、この限りではない。例えば、第１回路１６０ａは、バッテリー等の所定電源に接続される構成でもよい。
【００９７】
なお、第１制御部１６４及びコイルＬ１は第１通信部に含まれ、第１制御部１６４は送信部に含まれる。また、コイルＬ２は第２通信部に含まれる。また、抵抗Ｒ３は検出手段に含まれる。
【００９８】
なお、本実施形態では、商用電源から電力が供給される負荷としてのヒータ１６１の温度制御が行われる構成について説明したが、負荷として用いられるものは、ヒータ１６１に限定されるわけではない。例えば、商用電源から電力が供給される負荷として感光ドラム３０９等が用いられてもよい。
【符号の説明】
【００９９】
１  商用電源
１００  画像形成装置
１５１ａ  ＣＰＵ
１５４  サーミスタ
１６０  ＡＣドライバ
１６１  定着ヒータ
１６１ａ  発熱体
１６４  第１制御部
１６５  第２制御部
１６７  トライアック
３１８  定着器
Ｌ１、Ｌ２  コイル
【図１】
2020046579.tif 000005
【図２】
2020046579.tif 000006
【図３】
2020046579.tif 000007
【図４】
2020046579.tif 000008
【図５】
2020046579.tif 000009
【図６】
2020046579.tif 000010
【手続補正書】
【提出日】令和1年6月6日(2019.6.6)
【手続補正１】
【補正対象書類名】明細書
【補正対象項目名】０００４
【補正方法】変更
【補正の内容】
【０００４】
【特許文献１】特開２００５−３１５９６１号公報
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
所定電源と接続される第１回路と、前記第１回路とは絶縁される第２回路と、を有する電源装置において、
前記第１回路に設けられ、前記所定電源から負荷に供給される電力を調整する調整手段と、
前記第１回路に設けられ、前記調整手段を制御する第１制御手段と、
前記第１回路に設けられ、前記負荷に供給される電力に関するパラメータを検出する第１検出手段と、
前記第１回路に設けられ、前記第１制御手段に接続される第１通信部と、
前記第２回路に設けられ、前記第１通信部と絶縁され且つ当該第１通信部と無線通信を行う第２通信部と、
前記第２回路に設けられ且つ前記第２通信部に接続される第２制御手段と、
前記負荷の温度を検出する第２検出手段と、
を有し、
前記第１制御手段は、前記第２制御手段から前記第２通信部に供給される電圧に起因して前記第１通信部に発生する電圧によって供給される電力により動作し、
前記第１通信部は、前記第１検出手段による検出結果に関する情報を前記無線通信によって前記第２通信部に送信し、
前記第２制御手段は、前記第２通信部に送信された前記情報に基づいて、前記負荷の目標温度と前記第２検出手段によって検出される温度との偏差を小さくするための第１信号を、前記第１通信部及び第２通信部を介して前記第１制御手段に供給し、
前記第１制御手段は、前記第１信号に基づいて前記調整手段を制御し、
前記第２検出手段によって検出された温度が前記目標温度より高い所定温度より高い場合は、前記第１制御手段への前記電力の供給が遮断されることを特徴とする電源装置。
【請求項２】
前記第１通信部は、前記第２制御手段から前記第２通信部に供給された電圧に起因して前記第１通信部に発生する信号を用いて、前記情報を送信することを特徴とする請求項１に記載の電源装置。
【請求項３】
前記電源装置は、
前記第２制御手段から前記第２通信部に前記電圧が供給される供給状態と前記第２制御手段から前記第２通信部に前記電圧が供給されない遮断状態とを切り替えるスイッチ手段と、
前記第２検出手段によって検出された温度が前記所定温度より高い場合に、前記スイッチ手段が前記遮断状態になるように前記スイッチ手段を制御する第３制御手段と、
を有することを特徴とする請求項１又は２に記載の電源装置。
【請求項４】
前記第２制御手段は、前記第２検出手段によって検出された温度が前記所定温度より高い場合は、前記第２通信部への前記電圧の供給を停止することを特徴とする請求項１乃至３のいずれか一項に記載の電源装置。
【請求項５】
前記所定電源は、商用電源であることを特徴とする請求項１乃至４のいずれか一項に記載の電源装置。
【請求項６】
前記電力に関するパラメータは前記負荷に供給される電流であり、
前記第２制御手段は、前記第１検出手段によって検出された電流の実効値が所定値より大きい場合は前記負荷に供給される電力を小さくするための信号を前記第１制御手段に供給することを特徴とする請求項１乃至５のいずれか一項に記載の電源装置。
【請求項７】
前記第２制御手段は、前記第１検出手段の検出結果に基づいて決定された電力の実効値が第２所定値より大きい場合は前記負荷に供給される電力を小さくするための信号を前記第１制御手段に供給することを特徴とする請求項１乃至６のいずれか一項に記載の電源装置。
【請求項８】
前記第１検出手段は、前記所定電源から供給される電圧を検出し、
前記第２制御手段は、前記第１検出手段によって検出された前記電圧の実効値に基づいて、前記負荷に供給される電力を小さくするための信号を前記第１制御手段に供給することを特徴とする請求項１乃至７のいずれか一項に記載の電源装置。
【請求項９】
前記調整手段はトライアック回路であり、
前記第１制御手段は、前記負荷に供給される電力を増大させる場合は前記トライアック回路がＯＮ状態である期間を増大させ、前記負荷に供給される電力を減少させる場合は前記トライアック回路がＯＮ状態である期間を減少させることを特徴とする請求項１乃至８のいずれか一項に記載の電源装置。
【請求項１０】
前記第１通信部は、巻線で構成される第１アンテナと、前記第１アンテナを構成する巻線のインピーダンスを制御することによって前記情報を送信する送信部と、を備え、
前記第２通信部は、巻線で構成される第２アンテナを備え、
前記第１通信部と前記第２通信部との無線通信は、前記第１アンテナと前記第２アンテナとによって行われることを特徴とする請求項１乃至９のいずれか一項に記載の電源装置。
【請求項１１】
前記第１アンテナを構成する巻線には可変抵抗が接続されており、
前記第１通信部は、前記可変抵抗の抵抗値を変化させることにより、前記第１アンテナを構成する巻線のインピーダンスを制御することを特徴とする請求項１０に記載の電源装置
【請求項１２】
前記第１通信部は、巻線で構成された第１アンテナを備え、
前記第２通信部は、巻線で構成された第２アンテナを備え、
前記第１通信部は、前記第２制御手段から前記第２アンテナに供給される電圧によって前記第１アンテナに誘起される電圧による電力により動作することを特徴とする請求項１乃至９のいずれか一項に記載の電源装置。
【請求項１３】
前記第１通信部と前記第２通信部は、ＮＦＣによる無線通信を行うことを特徴とする請求項１乃至１２のいずれか一項に記載の電源装置。
【請求項１４】
前記第１検出手段は、抵抗器を含むことを特徴とする請求項１乃至１３のいずれか一項に記載の電源装置。
【請求項１５】
請求項１乃至１４のいずれか一項に記載の電源装置と、
前記負荷としてのヒータと、
シートにトナー像を転写する転写手段と、
前記転写手段によって前記シートに転写された前記トナー像を、前記ヒータによる熱によって前記シートに定着させる定着手段と、
を有することを特徴とする画像形成装置。
【手続補正２】
【補正対象書類名】明細書
【補正対象項目名】０００７
【補正方法】変更
【補正の内容】
【０００７】
上記課題を解決するために、本発明に係る電源装置は、
所定電源と接続される第１回路と、前記第１回路とは絶縁される第２回路と、を有する電源装置において、
前記第１回路に設けられ、前記所定電源から負荷に供給される電力を調整する調整手段と、
前記第１回路に設けられ、前記調整手段を制御する第１制御手段と、
前記第１回路に設けられ、前記負荷に供給される電力に関するパラメータを検出する第１検出手段と、
前記第１回路に設けられ、前記第１制御手段に接続される第１通信部と、
前記第２回路に設けられ、前記第１通信部と絶縁され且つ当該第１通信部と無線通信を行う第２通信部と、
前記第２回路に設けられ且つ前記第２通信部に接続される第２制御手段と、
前記負荷の温度を検出する第２検出手段と、
を有し、
前記第１制御手段は、前記第２制御手段から前記第２通信部に供給される電圧に起因して前記第１通信部に発生する電圧によって供給される電力により動作し、
前記第１通信部は、前記第１検出手段による検出結果に関する情報を前記無線通信によって前記第２通信部に送信し、
前記第２制御手段は、前記第２通信部に送信された前記情報に基づいて、前記負荷の目標温度と前記第２検出手段によって検出される温度との偏差を小さくするための第１信号を、前記第１通信部及び第２通信部を介して前記第１制御手段に供給し、
前記第１制御手段は、前記第１信号に基づいて前記調整手段を制御し、
前記第２検出手段によって検出された温度が前記目標温度より高い所定温度より高い場合は、前記第１制御手段への前記電力の供給が遮断されることを特徴とする。